(57)【要約】【課題】  屋根上への運搬・設置・移設が容易な折板屋根用ロープ固定具を提供する。【課題を解決するための手段】  角ハゼ式折板屋根１の角ハゼ部３の首部３ｃを左右両側から挟んで着脱自在に挟持するとともに、上端側が角ハゼ部３の上方へ延設された第１の挟持部材２１及び３つの第２の挟持部材４０−１乃至４０−３と、角ハゼ部３より上側位置で第１の挟持部材２１に３つの第２の挟持部材４０−１乃至４０−３を着脱自在に締結することにより、第１、第２の挟持部材２１、４０−１乃至４０−３により角ハゼ部３の首部３ｃを挟持させる多数組のボルト５０、座金付きナット５１とを備える。第１の挟持部材２１は角ハゼ部３の長手方向に沿って延設されており、３つの第２の挟持部材４０−１乃至４０−３は互いに角ハゼ部３の長手方向に併設して第１の挟持部材２１に着脱自在である。第１の挟持部材２１にはロープ取り付け孔２４乃至２６が穿設してある。【選択図】      図４
2019136324.tif 000002
【特許請求の範囲】
【請求項１】
ハゼ式折板屋根のハゼ部の首部を左右両側から挟んで着脱自在に挟持するとともに、上端側がハゼ部の上方へ延設された第１の挟持部材及び複数の第２の挟持部材と、
ハゼ部より上側位置で第１の挟持部材に複数の第２の挟持部材を着脱自在に締結することにより、第１、第２の挟持部材によりハゼ部の首部を挟持させる締結部材と、
を備え、
第１の挟持部材はハゼ部の長手方向に沿って延設されており、複数の第２の挟持部材は互いにハゼ部の長手方向に併設して第１の挟持部材に着脱自在とし、
第１の挟持部材の内のハゼ部より上側に、ロープを取り付けるロープ取り付け部が設けられていること、
を特徴とする折板屋根用ロープ固定具。
【請求項２】
ハゼ部は断面がＬ字状の角ハゼ部であり、第１の挟持部材は、角ハゼ部の立ち上がり部と横方向へ膨出した膨出部の内、立ち上がり部の外側面で、膨出部側とは逆側の外側面に面で当接するようにしたこと、
を特徴とする請求項１記載の折板屋根用ロープ固定具。
【請求項３】
第１、第２の挟持部材の下端部がハゼ部の基端近くで折板屋根に沿って左右方向にＬ字状に曲げられていること、
を特徴とする請求項１または２記載の折板屋根用ロープ固定具。
【請求項４】
第２の挟持部材の上端部は第１の挟持部材から離れる方向へＬ字状に曲げられていること、
を特徴とする請求項１乃至３の内のいずれか一項記載の折板屋根用ロープ固定具。
【請求項５】
第１の挟持部材はアルミ製のプレート材から成り、複数の第２の挟持部材は鋼製のプレート材から成ること、
を特徴とする請求項１乃至４の内のいずれか一項記載の折板屋根用ロープ固定具。
【請求項６】
ハゼ式折板屋根のハゼ部の首部を左右両側から挟んで着脱自在に挟持するとともに、上端側がハゼ部の上方へ延設された複数組の第１の挟持部材及び第２の挟持部材と、
ハゼ部の上側位置で第１の挟持部材と第２の挟持部材を着脱自在に締結することにより、第１、第２の挟持部材によりハゼ部の首部を挟持させる締結部材と、
ロープを取り付けるロープ取り付け部を有し、複数の第１の挟持部材と複数の第２の挟持部材の内の一方または両方に着脱自在に装着可能なロープ取り付け部材と、
複数の第１の挟持部材と複数の第２の挟持部材の内のロープ取り付け部材が装着される前記一方または両方と、ロープ取り付け部材を着脱自在に締結する締結部材と、
を備え、
ロープ取り付け部材はハゼ部の長手方向に沿って延設されており、複数組の第１の挟持部材と第２の挟持部材は互いにハゼ部の長手方向に併設してハゼ部の首部に着脱自在としたこと、
を特徴とする折板屋根用ロープ固定具。
【請求項７】
ハゼ部は丸ハゼ部であること、
を特徴とする請求項６記載の折板屋根用ロープ固定具。
【請求項８】
複数の第１の挟持部材と複数の第２の挟持部材の内のロープ取り付け部材が装着される前記一方または両方の上端部は、Ｌ字状に曲げられた延設部となっており、該延設部にロープ取り付け部材のＬ字状に曲げられた下端部を着脱自在に締結可能としたこと、
を特徴とする請求項６または７記載の折板屋根用ロープ固定具。
【請求項９】
複数の第１の挟持部材と複数の第２の挟持部材の内の一方の上端部は、他方の上端部から離れる方向へＬ字状に曲げられていること、
を特徴とする請求項６または７記載の折板屋根用ロープ固定具。
【請求項１０】
第１、第２の挟持部材の下端部がハゼ部の基端近くで折板屋根に沿って左右方向にＬ字状に曲げられていること、
を特徴とする請求項６乃至９の内のいずれか一項記載の折板屋根用ロープ固定具。
【請求項１１】
ロープ取り付け部材はアルミ製のプレート材から成り、第１、第２の挟持部材は鋼製のプレート材から成ること、
を特徴とする請求項６乃至１０の内のいずれか一項記載の折板屋根用ロープ固定具。
【発明の詳細な説明】
【技術分野】
【０００１】
本発明は折板屋根用ロープ固定具に係り、とくに屋根上や屋根下などの屋根周りでの作業時に作業者の安全を確保するためのロープを固定可能とした折板屋根用ロープ固定具に関する。
【背景技術】
【０００２】
屋根上や屋根下などの屋根周りでの作業を無足場で行う場合、作業者の安全を確保するため、身体に安全帯を装着し、安全帯をフック付のロープを用いて屋根上に設けた支点に連結する必要がある。従来は例えば実用新案登録第３０７６２０２号公報記載の折板屋根用の親綱張設用支柱取付具の如く、折板屋根の隣接する重合突出条部間に２本のアングル材を架設し、これらアングル材を用いて親綱張設用支柱を立設し、支柱上端部に装着した連結環に親綱のフックを掛止して、親綱に作業者の命綱を取り付けるようにしている。
【０００３】
けれども、上記した従来の技術では、２本のアングル材と親綱張設用支柱が必要であり、重量が重くまた嵩張るために屋根上への運搬・設置が難儀であり、また作業者が落下して親綱が引っ張られると、アングル材やアングル材と折り板屋根との締結部材に支柱から大きな曲げモーメントを受けるので、予め充分な強度を確保しておかなければならず、それによっても重量が重くなるという問題があった。
【先行技術文献】
【特許文献】
【０００４】
【特許文献１】実用新案登録第３０７６２０２号公報
【発明の概要】
【発明が解決しようとする課題】
【０００５】
本発明は上記した従来技術の問題に鑑みなされたもので、屋根上への運搬・設置・移設が容易な折板屋根用ロープ固定具を提供することを、その目的とする。
【課題を解決するための手段】
【０００６】
請求項１記載の発明では、
ハゼ式折板屋根のハゼ部の首部を左右両側から挟んで着脱自在に挟持するとともに、上端側がハゼ部の上方へ延設された第１の挟持部材及び複数の第２の挟持部材と、
ハゼ部より上側位置で第１の挟持部材に複数の第２の挟持部材を着脱自在に締結することにより、第１、第２の挟持部材によりハゼ部の首部を挟持させる締結部材と、
を備え、
第１の挟持部材はハゼ部の長手方向に沿って延設されており、複数の第２の挟持部材は互いにハゼ部の長手方向に併設して第１の挟持部材に着脱自在とし、
第１の挟持部材の内のハゼ部より上側に、ロープを取り付けるロープ取り付け部が設けられていること、
を特徴としている。
請求項２記載の発明では、
ハゼ部は断面がＬ字状の角ハゼ部であり、第１の挟持部材は、角ハゼ部の立ち上がり部と横方向へ膨出した膨出部の内、立ち上がり部の外側面で、膨出部側とは逆側の外側面に面で当接するようにしたこと、
を特徴としている。
請求項３記載の発明では、
第１、第２の挟持部材の下端部がハゼ部の基端近くで折板屋根に沿って左右方向にＬ字状に曲げられていること、
を特徴としている。
請求項４記載の発明では、
第２の挟持部材の上端部は第１の挟持部材から離れる方向へＬ字状に曲げられていること、
を特徴としている。
請求項５記載の発明では、
第１の挟持部材はアルミ製のプレート材から成り、複数の第２の挟持部材は鋼製のプレート材から成ること、
を特徴としている。
請求項６記載の発明では、
ハゼ式折板屋根のハゼ部の首部を左右両側から挟んで着脱自在に挟持するとともに、上端側がハゼ部の上方へ延設された複数組の第１の挟持部材及び第２の挟持部材と、
ハゼ部の上側位置で第１の挟持部材と第２の挟持部材を着脱自在に締結することにより、第１、第２の挟持部材によりハゼ部の首部を挟持させる締結部材と、
ロープを取り付けるロープ取り付け部を有し、複数の第１の挟持部材と複数の第２の挟持部材の内の一方または両方に着脱自在に装着可能なロープ取り付け部材と、
複数の第１の挟持部材と複数の第２の挟持部材の内のロープ取り付け部材が装着される前記一方または両方と、ロープ取り付け部材を着脱自在に締結する締結部材と、
を備え、
ロープ取り付け部材はハゼ部の長手方向に沿って延設されており、複数組の第１の挟持部材と第２の挟持部材は互いにハゼ部の長手方向に併設してハゼ部の首部に着脱自在としたこと、
を特徴としている。
請求項７記載の発明では、
ハゼ部は丸ハゼ部であること、
を特徴としている。
請求項８記載の発明では、
複数の第１の挟持部材と複数の第２の挟持部材の内のロープ取り付け部材が装着される前記一方または両方の上端部は、Ｌ字状に曲げられた延設部となっており、該延設部にロープ取り付け部材のＬ字状に曲げられた下端部を着脱自在に締結可能としたこと、
を特徴としている。
請求項９記載の発明では、
複数の第１の挟持部材と複数の第２の挟持部材の内の一方の上端部は、他方の上端部から離れる方向へＬ字状に曲げられていること、
を特徴としている。
請求項１０記載の発明では、
第１、第２の挟持部材の下端部がハゼ部の基端近くで折板屋根に沿って左右方向にＬ字状に曲げられていること、
を特徴としている。
請求項１１記載の発明では、
ロープ取り付け部材はアルミ製のプレート材から成り、第１、第２の挟持部材は鋼製のプレート材から成ること、
を特徴としている。
【発明の効果】
【０００７】
請求項１記載の発明によれば、左右両側からハゼ部の首部を挟持する第１の挟持部材と第２の挟持部材の内、第１の挟持部材にロープ取り付け部を設けたので、第１、第２の挟持部材とは別にロープ取り付け部材を装備するのに比べて、部材が少なくて済み、器具の小型化が容易で、屋根上への運搬・設置・移設が容易となる。また、複数の第２の挟持部材に対し、第１の挟持部材を１つとしたので、これによっても部材が少なくて済み、屋根上への運搬・設置・移設が容易となる。また、第１の挟持部材をハゼ部に沿って前後に延設し、第１の挟持部材に着脱自在な複数の第２の挟持部材を互いにハゼ部の長手方向に併設したことにより、ハゼ部に対し複数箇所で挟着できるので、装着強度を高くすることができる。
請求項２記載の発明によれば、第１の挟持部材が角ハゼ部の立ち上がり部の外側面と面で当接するので、大きな接触摩擦が得られ、装着強度がより大きくなる。
請求項３記載の発明によれば、第１、第２の挟持部材の下端部が折板屋根に当接することで、大きな接触摩擦が得られ、装着強度がより大きくなる。
請求項４記載の発明によれば、第２の挟持部材の上端部がＬ字状に曲げられているので、部材強度がより大きくなる。
請求項５記載の発明によれば、第１の挟持部材がアルミ製のプレート材から成るので、器具の軽量化が図られる。
請求項６記載の発明によれば、左右両側からハゼ部の首部を挟持する複数の第１の挟持部材と複数の第２の挟持部材の内、一方または両方に直接、ロープ取り付け部材を締結するようにしたので、器具の小型化か容易で、屋根上への運搬・設置・移設が容易となる。また、ロープ取り付け部材をハゼ部の長手方向に沿って延設し、複数組の第１の挟持部材と第２の挟持部材は互いにハゼ部の長手方向に併設してハゼ部の首部に着脱自在としたことにより、ハゼ部に対し複数箇所で挟着できるので、装着強度を高くすることができる。
請求項７記載の発明によれば、丸ハゼ式折板屋根の丸ハゼ部に着脱自在に装着可能となる。
請求項８記載の発明によれば、複数の第１の挟持部材と複数の第２の挟持部材の内のロープ取り付け部材が装着される前記一方または両方の上端部と、ロープ取り付け部材の下端部がＬ字状に曲げられているので、器具の強度が大きくなる。
請求項９記載の発明によれば、第１、第２の挟持部材の下端部が折板屋根に当接することで、大きな接触摩擦が得られ、装着強度がより大きくなる。
請求項１０記載の発明によれば、複数の第１の挟持部材と複数の第２の挟持部材の内の一方の上端部がＬ字状に曲げられているので、部材強度がより大きくなる。
請求項１１記載の発明によれば、ロープ取り付け部材がアルミ製のプレート材から成るので、器具の軽量化が図られる。
【図面の簡単な説明】
【０００８】
【図１】図１は本発明に係る折板屋根用ロープ固定具を角ハゼ式折板屋根に装着した状態を示す一部省略した正面図である（実施例１）。
【図２】図１の一部省略した右側面図である。
【図３】図１の一部省略した左側面図である。
【図４】図１中の折板屋根用ロープ固定具を示す外観斜視図である。
【図５】図４中の第１の挟持部材を示す外観斜視図である。
【図６】第１の挟持部材の正面図である。
【図７】第１の挟持部材の右側面図である。
【図８】第１の挟持部材の左側面図である。
【図９】第１の挟持部材の平面図である。
【図１０】第２の挟持部材を示す外観斜視図である。
【図１１】図１１の（１）は第２の挟持部材の正面図、（２）は右側面図、（３）は左側面図、（４）は平面図である。
【図１２】第１実施例に係る折板屋根用ロープ固定具の使用方法の説明図である。
【図１３】図１３は本発明に係る折板屋根用ロープ固定具を丸ハゼ式折板屋根に装着した状態を示す一部省略した正面図である（実施例２）。
【図１４】図１３の一部省略した右側面図である。
【図１５】図１３の一部省略した左側面図である。
【図１６】図１３中の折板屋根用ロープ固定具を示す外観斜視図である。
【図１７】図１３中の第１、第２の挟持部材の締結状態を示す外観斜視図である。
【図１８】図１８の（１）は第１の挟持部材の正面図、（２）は右側面図、（３）は左側面図、（４）は平面図である。
【図１９】図１９の（１）は図１６中のロープ取り付け部材の正面図、（２）は右側面図、（３）は左側面図である。
【図２０】図１６中のロープ取り付け部材の平面図である。
【図２１】第２実施例に係る折板屋根用ロープ固定具の使用方法の説明図である。
【発明を実施するための最良の形態】
【０００９】
以下、本発明の最良の形態を実施例に基づき説明する。
【実施例１】
【００１０】
図１乃至図１１を参照して本発明の第１実施例を説明する。図１は本発明に係る折板屋根用ロープ固定具を角ハゼ式の折板屋根に装着した状態を示す一部省略した正面図、図２は図１の一部省略した右側面図、図３は図１の一部省略した左側面図、図４は図１中の折板屋根用ロープ固定具を示す外観斜視図、図５は図４中の第１の挟持部材を示す外観斜視図、図６乃至図９は各々第１の挟持部材の正面図、右側面図、左側面図、平面図、図１０は図４中の第２の挟持部材を示す外観斜視図、図１１の（１）乃至（４）は各々第２の挟持部材の正面図、右側面図、左側面図、平面図である。
【００１１】
図１乃至図３において、１は角ハゼ式折板屋根であり、図示しないタイトフレームを介して屋根の鉄骨構造物に固定されている。角ハゼ式折板屋根１は多数の角ハゼ折板２、２、・・を横に併設し、隣接する角ハゼ折板２、２、・・の端部同士を角ハゼ部３により重ね合わせて連結して成る。各角ハゼ折板２の左端には上方へ立ち上がった立ち上がり部２ａと立ち上がり部２ａから断面が水平横向き（図１の右向き）に略Ｌ字状に曲がったＬ字状曲がり部２ｂが形成されており、右端には上方へ立ち上がった立ち上がり部２ｃと立ち上がり部２ｃから断面が水平横向き（図１の右向き）に袋状に曲がった袋状曲がり部２ｄが形成されている。隣接する角ハゼ折板２の右端と左端の立ち上がり部２ａ、２ｃが左右方向に当接されるとともに、Ｌ字状曲がり部２ｂが袋状曲がり部２ｄの中に嵌挿されることにより、角ハゼ部３が構成されている。
【００１２】
角ハゼ部３は隣接する２つの角ハゼ折板２の内、図１の右側の角ハゼ折板２の左端の立ち上がり部２ａとＬ字状曲がり部２ｂ、左側の角ハゼ折板２の右端の立ち上がり部２ｃと袋状曲がり部２ｄから成る。角ハゼ部３の内、左側の立ち上がり部２ａの平面状の左側壁面を外側立ち上がり壁面３ａとし、袋状曲がり部２ｄがＬ字状曲がり部２ｂを包囲した部分を重合部３ｂとし、重合部３ｂの下側を首部３ｃとする。
【００１３】
図１乃至図３の内、２０は折板屋根用ロープ固定具（以下、「ロープ固定具」という）であり、図４に全体の外観斜視図を示す。ロープ固定具２０は、屋根上や屋根下などの屋根周りでの作業時に作業者の安全を確保するためのロープを固定するためのものである。ロープ固定具２０は角ハゼ式折板屋根１の角ハゼ部３を着脱自在に挟持することにより、角ハゼ式折板屋根１に装着されている。ロープ固定具２０は角ハゼ式折板屋根１の任意箇所の角ハゼ部３に装着可能である。
【００１４】
ロープ固定具２０の内、２１は断面が略Ｌ字状に形成された厚み４乃至６ｍｍ程度のアルミ製のプレート材からなる第１の挟持部材であり、図５乃至図９に外観斜視図、正面図、右側面図、左側面図、平面図を示す。第１の挟持部材２１は側面から見て上端縁が上に凸な円弧状に形成されており、最大高さＨａに対して前後方向の長さＬが数倍程度長く形成されている（図２、図６、図７参照）。第１の挟持部材２１は上端から下端部近くまで垂直に延びた立ち上がり部２２と、立ち上がり部２２の下端から略Ｌ字状に折り曲げられて水平より少しだけ斜め下向きに横外側へ延びた下側延設部２３から成る。立ち上がり部２２の最小高さＨｂは角ハゼ式折板屋根１の角ハゼ部３の高さ（図１の符号ｈ参照）より３倍程度高い。立ち上がり部２２の平面状の右側壁面２２ａは角ハゼ部３の平面状の外側立ち上がり壁面３ａと面で接触している。
【００１５】
第１の挟持部材２１の上端近くで前後方向の前端近く、中央、後端近くの３箇所にロープ取り付け部としての円形のロープ取り付け穴２４乃至２６が穿設されている。また、第１の挟持部材２１の上下方向の中央近くには、前後方向に中心間隔Ｍを離して穿設した一対のボルト孔２７と２８、２９と３０、３１と３２が第１の挟持部材２１の前端部寄り、中央、後端部寄りに３組配設されている。これらのボルト孔２７乃至３２は全て同形であり、第１の挟持部材２１に次に述べる３つの第２の挟持部材をボルトとナットからなる締結部材により締め付けて締結するために用いられる。
【００１６】
ロープ固定具２０の内、４０−１乃至４０−３は同形の厚み３乃至４ｍｍ程度のステンレス鋼製のプレート材からなる第２の挟持部材であり、図１０に外観斜視図、図１１の（１）乃至（４）に正面図、右側面図、左側面図、平面図を示す。第２の挟持部材４０−１乃至４０−３は１つの第１の挟持部材２１と３つを左右に組み合わせて、ロープ固定具２０を角ハゼ式折板屋根１の角ハゼ部３に着脱自在に挟着させるためのものである。第２の挟持部材４０−１は、上部側に上下方向に延びた締結部４１と締結部４１の上端から水平に第１の挟持部材２１から離れる方向に延びた上側延設部４２、下部側に締結部４１の下端から断面が半楕円状に横外側へ膨出した膨出部４３、膨出部４３の下端から断面がＪ字状に横内側へ突出した挟持部４４を備え、挟持部４４の下端部が水平より少しだけ斜め下向きに横外側へ延びた下側延設部４５となっている。
【００１７】
第２の挟持部材４０−１の膨出部４３は内部空間（図１、図４、図１０のＳ２参照）に角ハゼ式折板屋根１の角ハゼ部３の内、重合部３ｂを収容可能な大きさに形成されている。挟持部４４の頂線（稜線）Ｐは締結部４１の外側壁面４１ａのほぼ真下に位置している。締結部４１には第１の挟持部材２１の一対のボルト孔２７と２８に対応して、前後方向に中心間隔Ｍを離して一対のボルト孔４６と４７が穿設されている。ボルト孔４６、４７はボルト孔２７、２８と同径である。第１の挟持部材２１の下端から一対のボルト孔２７と２８の中心までの高さ（図６、図７の符号Ｈｃ参照）と第２の挟持部材４０−１の下端から一対のボルト孔４６と４７の中心までの高さ（図１１の符号Ｈｄ参照）は同一である。なお、上側延設部４２は平面視が略長方形状に形成されており、前後方向の中央にボルト孔４８が穿設されている。このボルト孔４８は４６、４７と同径である。
他の第２の挟持部材４０−２、４０−３は４０−１と同一に構成されている。
【００１８】
ロープ固定具２０の内、５０と５１は締結部材を成すボルト及び座金付きナットであり、一つ目の第２の挟持部材４０−１のボルト孔４６、４７と第１の挟持部材２１のボルト孔２７、２８に各々ボルト５０が挿通されてボルト５０の先端側から座金付きナット５１が螺合され、二つ目の第２の挟持部材４０−２のボルト孔４６、４７と第１の挟持部材２１の一対のボルト孔２９、３０に各々ボルト５０が挿通されてボルト５０の先端側から座金付きナット５１が螺合され、三つ目の第２の挟持部材４０−３のボルト孔４６、４７と第１の挟持部材２１の一対のボルト孔３１、３２に各々ボルト５０が挿通されてボルト５０の先端側から座金付きナット５１が螺合されることにより、第１の挟持部材２１に３つの第２の挟持部材４０−１乃至４０−３が併設して締結されることで、第１の挟持部材２１と第２の挟持部材４０−１乃至４０−３の間に角ハゼ式折板屋根１の角ハゼ部３が左右から着脱自在に挟持されている。
【００１９】
次に上記した実施例の作用を説明する。
例えば、作業者が角ハゼ式折板屋根１の上や周辺でダブルロープアクセス技術により作業したい場合、図１２に示す如く、角ハゼ式折板屋根１の任意の所望箇所に３つのロープ固定具２０−１乃至２０−３を用いてメインロープ６０の一端を固定し、他の３つのロープ固定具２０−４乃至２０−６を用いて補助ロープ６１の一端を固定し、作業者Ａが装着している安全帯（図示せず）をメインロープ６０と補助ロープ６１に連結するようにする。
【００２０】
角ハゼ式折板屋根１に対するロープ固定具２０−１の装着方法を説明すると、第１の挟持部材２１の立ち上がり部２２の下部の図１における外側立ち上がり壁面２２ａと、下側延設部２３の下面２３ａを角ハゼ部３の外側立ち上がり壁面３ａと角ハゼ式折板屋根１の左側頂面１ａに接するように置き、一つ目の第２の挟持部材４０−１を、膨出部４３の中に角ハゼ部３の重合部３ｂを嵌めながら締結部４１の外側壁面４１ａを第１の挟持部材２１の外側立ち上がり壁面２２ａに合わせ、下側延設部４５の下面４５ａを角ハゼ式折板屋根１の右側頂面１ｂに接するように置き、締結部４１のボルト孔４６、４７を第１の挟持部材２１の前寄りの一対のボルト孔２７、２８に合わせ、ボルト孔４６と２７、４７と２８に各々ボルト５０を通し、先端側に座金付きナット５１を螺合する。
【００２１】
同様に、二つ目の第２の挟持部材４０−２を、膨出部４３の中に角ハゼ部３の重合部３ｂを嵌めながら締結部４１の外側壁面４１ａを第１の挟持部材２１の外側立ち上がり壁面２２ａに合わせ、下側延設部４５の下面４５ａを角ハゼ式折板屋根１の右側頂面１ｂに接するように置き、締結部４１のボルト孔４６、４７を第１の挟持部材２１の中央の一対のボルト孔２９、３０に合わせ、ボルト孔４６と２９、４７と３０に各々ボルト５０を通し、先端側に座金付きナット５１を螺合する。
更に、三つ目の第２の挟持部材４０−３を、膨出部４３の中に角ハゼ部３の重合部３ｂを嵌めながら締結部４１の外側壁面４１ａを第１の挟持部材２１の外側立ち上がり壁面２２ａに合わせ、下側延設部４５の下面４５ａを角ハゼ式折板屋根１の右側頂面１ｂに接するように置き、締結部４１のボルト孔４６、４７を第１の挟持部材２１の後ろ寄りの一対のボルト孔３１、３２に合わせ、ボルト孔４６と３１、４７と３２に各々ボルト５０を通し、先端側に座金付きナット５１を螺合する。
【００２２】
各座金付きナット５１の螺合を進めて締め付けていくと、三つの第２の挟持部材４０−１乃至４０−３の挟持部４４の頂線Ｐと第１の挟持部材２１の立ち上がり部２２との間隔が狭まり、角ハゼ部３の首部３ｃが左右両側から押圧されて立ち上がり部２２と挟持部４４の間に挟持される。これにより、ロープ固定金具２０が強固に角ハゼ式折板屋根１に装着される。この際、角ハゼ部３の重合部３ｂは三つの第２の挟持部材４０−１乃至４０−３の膨出部４３の内部空間Ｓ２の中に収容された状態となる。また、第１の挟持部材２１と三つの第２の挟持部材４０−１乃至４０−３の下端部の下側延設部２３と４５は、角ハゼ式折板屋根１の頂面１ａと１ｂに当接した状態となる。
このようにしてロープ固定具２０−１を角ハゼ式折板屋根１の所望箇所に装着することができる。他のロープ固定具２０−２乃至２０−６も全く同様にして角ハゼ式折板屋根１の所望箇所に装着することができる。
【００２３】
メイン側の各ロープ固定具２０−１乃至２０−３の第１の挟持部材２１の３つのロープ取り付け孔２４乃至２６の内の１つに、個別にカラビナ６２乃至６４を装着し、両端にフック（図示せず）が装着された３本の子綱ロープ６５乃至６７の一端側の３つのフックを各カラビナ６２乃至６４に掛着し、他端側の３つのフックを１つのカラビナ６８に掛着し、このカラビナ６８にメインロープ６０の一端側のフック（図示せず）を掛着する。
また、補助側の各ロープ固定具２０−４乃至２０−６の第１の挟持部材２１の３つのロープ取り付け孔２４乃至２６の内の１つに、個別にカラビナ６９乃至７１を装着し、両端にフック（図示せず）が装着された３本の子綱ロープ７２乃至７４の一端側の３つのフックを各カラビナ６９乃至７１に掛着し、他端側の３つのフックを１つのカラビナ７５に掛着し、このカラビナ７５に補助ロープ６１の一端側のフック（図示せず）を掛着する。
【００２４】
このようにして、メインロープ６０、補助ロープ６１の一端側を角ハゼ式折板屋根１の上に固定した状態で、安全帯（図示せず）と連結したメイン側の安全ロープ７６の先端に装着された昇降器具（アッセンダー、ディッセンダーなど）７７をメインロープ６０の側に連結し、安全帯と連結した補助側の安全ロープ７８の先端に装着された墜落防止器具（アサップ）７９を補助ロープ６１の側に連結すれば良い。
【００２５】
通常時、作業者Ａの体重を支えるための荷重は安全ロープ７６、昇降器具７７、メインロープ６０、子綱ロープ６５乃至６７を介して３つのロープ固定具２０−１乃至２０−３により支持される。作業者Ａが角ハゼ式折板屋根１の上で足を滑らせたり、転倒・落下しかけた場合、墜落防止器具７９が補助ロープ６１に食い込み、安全ロープ７８、墜落防止器具７９、補助ロープ６１、子綱ロープ６９乃至７１を介して３つのロープ固定具２０−４乃至２０−６に大きな衝撃荷重が掛かる。
けれども、各ロープ固定具２０−１乃至２０−６は、第１の挟持部材２１と３つの第２の挟持部材４０−１乃至４０−３が角ハゼ部３の首部３ｃを押圧しながら挟持することで、第１の挟持部材２１と首部３ｃの間、３つの第２の挟持部材４０−１乃至４０−３と首部３ｃの間に大きな摩擦抵抗が生じていること、及び、ロープ取り付け孔２４乃至２６と挟持箇所の間の距離が短く、ロープ固定具２０−１乃至２０−６に大きなモーメントも掛からないことから、メインロープ６０の側からの通常の引っ張り荷重や、補助ロープ６１の側からの衝撃引っ張り荷重で外れることはなく、作業者Ａの安全が確保される。
【００２６】
なお、作業範囲が角ハゼ式折板屋根１の上の狭い範囲の場合などでは、安全帯から延びた一本のランヤードロープのフックを１つのロープ固定具（例えば２０−１）の１つのロープ取り付け孔（例えば２４）に掛着することで、安全を確保することもできる。或いは、角ハゼ式折板屋根１の適当な場所に間隔をおいて複数のロープ固定具を装着し、一本の親綱を各ロープ固定具に固定し、安全帯から延びた一本のランヤードロープのフックを親綱に掛着することで、安全を確保することもできる。
【００２７】
作業場所を移動するなどのためロープ固定具２０−１等を別の場所に移動したい場合、計６つの座金付きナット５１を緩め、ボルト５０を外して第１の挟持部材２１から三つの第２の挟持部材４０−１乃至４０−３を分離することで簡単に角ハゼ式折板屋根１から取り外すことができ、あとは前述と同様にして所望箇所に装着すれば良い。各ロープ固定具２０−１乃至２０−６は小型で第１の挟持部材２１がアルミ製のプレート材からなることから重量も比較的軽量であり、角ハゼ式折板屋根１の上への運搬や設置、移設の作業負担は小さい。
【００２８】
この実施例によれば、ロープ固定具２０の第１の挟持部材２１の立ち上がり部２２の外側立ち上がり壁面２２ａと、下側延設部２３の下面２３ａを角ハゼ部３の外側立ち上がり壁面３ａと角ハゼ式折板屋根１の左側頂面１ａに接するように置き、３つの第２の挟持部材４０−１乃至４０−３を、膨出部４３の中に角ハゼ部３の重合部３ｂを嵌めながら締結部４１の外側壁面４１ａを第１の挟持部材２１の外側立ち上がり壁面２２ａに合わせ、下側延設部４５の下面４５ａを角ハゼ式折板屋根１の右側頂面１ｂに接するように置き、３つの第２の挟持部材４０−１乃至４０−３をボルト５０とナット５１で第１の挟持部材２１と締結すると、立ち上がり部２２と挟持部４４の間に角ハゼ部３の首部３ｃが左右両側から押圧されて挟持される。これにより、ロープ固定金具２０が強固に角ハゼ式折板屋根１に装着される。ロープ固定具２０は左右両側から角ハゼ部３の首部３ｃを挟持する第１の挟持部材２１と３つの第２の挟持部材４０−１乃至４０−３の内、第１の挟持部材２１にロープ取り付け部としてのロープ取り付け孔２４乃至２６を設けたので、第１、第２の挟持部材２１、４０とは別にロープ取り付け部材を装備するのに比べて、部材が少なくて済み、全体が小型であり、第１の挟持部材２１を１つとしたので、これによっても部材が少なくて済み、屋根上への運搬・設置・移設が容易となる。
【００２９】
また、第１の挟持部材２１を角ハゼ部３の長手方向に沿って延設し、３つの第２の挟持部材４０−１乃至４０−３を互いに角ハゼ部３の長手方向に併設して第１の挟持部材２１に着脱自在としたことにより、角ハゼ部３に対し複数箇所で挟着できるので、ロープ固定具２０の装着強度を高くすることができる。また、第１の挟持部材２１が角ハゼ部３の立ち上がり部３ａの外側面と面で当接するので、大きな接触摩擦が得られ、装着強度がより大きくなる。また、第１、第２の挟持部材２１、４０−１乃至４０−３の下端部である下側延設部２３、４５が角ハゼ式折板屋根１の頂面１ａ、１ｂに当接することで大きな接触摩擦が得られ、これによっても装着強度がより大きくなる。また、第２の挟持部材４０−１乃至４０−３の上端部である上側延設部２２がＬ字状に曲げられているので、部材強度がより大きくなる。また、第１の挟持部材２１がステンレス製のプレート材からなることから重量も比較的軽量であり、角ハゼ式折板屋根１の上への運搬や設置、移設の作業負担が小さい。
【００３０】
また、第１の挟持部材２１は長さに比して高さが低く形成されており、メインロープ６０、補助ロープ６１などのロープが固定されるロープ取り付け孔２４乃至２６が角ハゼ部３に近い位置にあり、第１の挟持部材２１、第２の挟持部材４０−１乃至４０−３が挟持している角ハゼ部３の首部３ｃまでの距離が短いので、ロープから引っ張り荷重が掛かったときにロープ固定部２０に働くモーメントが大きくならず、角ハゼ部３から外れ難い。
【００３１】
なお、上記した実施例では１つの第１の挟持部材に対し、３つの第２の挟持部材を組み合わせる場合を例示したが、本発明は何らこれに限定されず、２つまたは４つ以上組み合わせても良い。
【実施例２】
【００３２】
次に、図１３乃至図２０を参照して本発明の第２実施例を説明する。
図１３は本発明に係る折板屋根用ロープ固定具を丸ハゼ式折板屋根に装着した状態を示す一部省略した正面図、図１４は図１３の一部省略した右側面図、図１５は図１３の一部省略した左側面図、図１６は図１３中の折板屋根用ロープ固定具を示す外観斜視図、図１７は図１６中の第１、第２の挟持部材を締結した状態を示す外観斜視図、図１８の（１）乃至（４）は各々図１７中の第１の挟持部材の正面図、右側面図、左側面図、平面図、図１９の（１）乃至（３）は図１６中のロープ取り付け部材の正面図、右側面図、左側面図、図２０は図１６中のロープ取り付け部材の平面図である。なお、第１実施例と同一の構成部分には同一の符号を付してある。
【００３３】
図１３乃至図１５において、１０１は丸ハゼ式折板屋根であり、図示しないタイトフレームを介して屋根の鉄骨構造物に固定されている。丸ハゼ式折板屋根１０１は多数の丸ハゼ折板１０２、１０２、・・を横に併設し、隣接する丸ハゼ折板の端部同士を丸ハゼ部１０３により重ね合わせて連結して成る。各丸ハゼ折板１０２の左端には上方へ立ち上がった立ち上がり部１０２ａと立ち上がり部１０２ａから断面が楕円環状に曲がった筒状曲がり部１０２ｂが形成されており、右端には上方へ立ち上がった立ち上がり部１０２ｃと立ち上がり部２ｃから断面が楕円環状に曲がった筒状曲がり部１０２ｄが形成されている。隣接する丸ハゼ折板１０２の右端と左端の立ち上がり部１０２ａ、１０２ｃが左右方向に当接されるとともに、筒状曲がり部１０２ｂが筒状曲がり部１０２ｄの中に嵌挿されることにより、丸ハゼ部１０３が構成されている。
【００３４】
丸ハゼ部１０３は隣接する２つの丸ハゼ折板１０２の内、図１３の右側の丸ハゼ折板１０２の左端の立ち上がり部１０２ａと筒状曲がり部１０２ｂ、左側の丸ハゼ板１０２の右端の立ち上がり部１０２ｃと筒状曲がり部１０２ｄから成る。丸ハゼ部１０３の内、筒状曲がり部１０２ｄが筒状曲がり部１０２ｂを包囲した部分を重合部３ｂとし、重合部３ｂの下側を首部３ｃとする。
【００３５】
図１３乃至図１５の内、１２０は折板屋根用ロープ固定具（以下、「ロープ固定具」という）であり、図１６に全体の外観斜視図を示す。ロープ固定具１２０は、屋根上や屋根下などの屋根周りでの作業時に作業者の安全を確保するためのロープを固定するものである。ロープ固定具１２０は丸ハゼ式折板屋根１０１の丸ハゼ部１０３を着脱自在に挟持することにより、丸ハゼ式折板屋根１０１に装着されている。ロープ固定具１２０は丸ハゼ式折板屋根１０１の任意箇所の丸ハゼ部１０３に装着可能である。
【００３６】
ロープ固定具１２０の内、１２０−１と４０−１、１２０−２と４０−２、１２０−３と４０−３は各々一対の第１、第２の挟持部材であり（図１７参照）、第２の挟持部材４０−１乃至４０−３は各々第１実施例の第２の挟持部材４０−１乃至４０−３と同一に形成されており、第１の挟持部材１２１−１乃至１２１−３は第２の挟持部材４０−１乃至４０−３と左右対称に形成されている。すなわち、図１８に示す如く、第１の挟持部材１２０−１は、上部側に上下方向に延びた締結部１２２と、締結部１２２の上端から水平に第２の挟持部材４０−１乃至４０−３から離れる方向に延びた上側延設部１２３、下部側に締結部１２２の下端から断面が半楕円状に横外側へ膨出した膨出部１２４、膨出部１２４の下端から断面がＪ字状に横内側へ突出した挟持部１２５を備え、挟持部１２５の下端部が水平より少しだけ斜め下向きに横外側へ延びた下側延設部１２６となっている。
【００３７】
第１の挟持部材１２０−１の膨出部１２４は内部空間Ｓ１に丸ハゼ式折板屋根１０１の丸ハゼ部１０３の内、重合部１０３ｂの半分以上を収容可能な大きさに形成されている。挟持部１２５の頂線（稜線）Ｐ’は締結部１２２の外側壁面１２２ａのほぼ真下に位置している。締結部１２２には第２の挟持部材４０−１の一対のボルト孔４６と４７に対応して前後方向に中心間隔Ｍを離して一対のボルト孔１２７と１２８が穿設されている。ボルト孔１２７、１２８はボルト孔４６、４７と同径である。第１の挟持部材１２１−１の下端から一対のボルト孔１２７と１２８の中心までの高さ（図１８の符号Ｈｅ参照）と第２の挟持部材４０−１の下端から一対のボルト孔４６と４７の中心までの高さＨｄは同一である。上側延設部１２３は平面視が略長方形状に形成されており、前後方向の中央にボルト孔１２９が穿設されている。ボルト孔１２９は１２７、１２８と同径である。
他の第１の挟持部材１２−２、１２０−３も１２０−１と同一に構成されている（すなわち第１、第２の挟持部材１２０−１乃至１２０−３、４０−１乃至４０−３は全て同形である）。
【００３８】
１つのロープ固定具１２０につき３組の第１、第２の挟持部材１２１−１と４０−１、１２１−２と４０−２、１２１−３と４０−３を組み合わせることで、ロープ固定具１２０を丸ハゼ式折板屋根１０１の丸ハゼ部１０３に着脱自在に装着可能である。第１、第２の挟持部材１２１−１と４０−１（１２１−２と４０−２、または１２１−３と４０−３）を向かい合わせて締結したときの膨出部１２４と４３の内部空間（図１７の符号Ｓ１、Ｓ２参照）に丸ハゼ式折板屋根１０１の丸ハゼ部１０３の内、重合部１０３ｂを収容可能になっている。
【００３９】
１５０は断面が略Ｌ字状に形成された厚み４乃至６ｍｍ程度のアルミ製のプレート材からなるロープ取り付け部材であり、図１９の（１）乃至（３）に正面図、右側面図、左側面図、図２０に平面図を示す。ロープ取り付けプレート１５０は側面から見て上端縁が上に凸な円弧状に形成されており、第１の挟持部材１２１−１乃至１２１−３の上に締結したときの第１の挟持部材１２１−１乃至１２１−３の下端からの最大高さ（図１４の符号Ｈａ’参照。なおＨａ’は第１実施例のＨａとほぼ同じ）に対して前後方向の長さ（図１４の符号Ｌ’参照。なおＬ’は第１実施例のＬとほぼ同じ）が数倍程度長く形成されている。
【００４０】
ロープ取り付け部材１５０は上端から下端部近くまで垂直に延びた立ち上がり部１５１と、立ち上がり部１５１の下端からＬ字状に折り曲げられて水平横外側へ延びた底部１５２から成る。底部１５２の左右方向の横幅（図１９の符号Ｋ参照）は第１の挟持部材１２１−１乃至１２１−３の上側延設部１２２の横幅（図１８の符号Ｗ参照）と略同一である。
【００４１】
ロープ取り付け部材１５０の立ち上がり部１５１の前後方向に見た前寄り、中央、後寄りの３箇所にロープ取り付け部としての軸が水平方向（左右方向）を向いた円形のロープ取り付け穴１５４乃至１５６が穿設されている。また、ロープ取り付け部材１５０の底部１５２の前後方向に見た前寄り、中央、後ろ寄りの３箇所には左右の幅方向の中央に軸が上下方向を向いたボルト孔１５７乃至１５９が穿設されている。これらのボルト孔１５７乃至１５９は、３つの第１の挟持部材１２１−１乃至１２１−３をボルトとナットからなる締結部材により締め付けて締結するために用いられる。
【００４２】
ロープ固定具１２０の内、５０と５１は締結部材を成すボルト及び座金付きナットであり、第２の挟持部材４０−１のボルト孔４６、４７と第１の挟持部材１２１−１のボルト孔１２７、１２８に各々ボルト５０が挿通されてボルト５０の先端側から座金付きナット５１が螺合され、第２の挟持部材４０−２のボルト孔４６、４７と第１の挟持部材１２１−２の一対のボルト孔１２７、１２８に各々ボルト５０が挿通されてボルト５０の先端側から座金付きナット５１が螺合され、第２の挟持部材４０−３のボルト孔４６、４７と第１の挟持部材１２１−３の一対のボルト孔１２７、１２８に各々ボルト５０が挿通されてボルト５０の先端側から座金付きナット５１が螺合されて、第１の挟持部材１２１−１乃至１２１−３の各々に第２の挟持部材４０−１乃至４０−３が締結されることで、一組目の第１の挟持部材１２１−１と第２の挟持部材４０−１の間、二組目の第１の挟持部材１２１−２と第２の挟持部材４０−２の間、三組目の第１の挟持部材１２１−３と第２の挟持部材４０−３の間に丸ハゼ式折板屋根１０１の丸ハゼ部１０３が左右から着脱自在に挟持されている。
【００４３】
また、ロープ取り付け部材１５０のボルト孔１５７と一つ目の第１の挟持部材１２１−１のボルト孔１２９にボルト５０が挿通されてボルト５０の先端側から座金付きナット５１が螺合され、ボルト孔１５８と二つ目の第１の挟持部材１２１−２のボルト孔１２９にボルト５０が挿通されてボルト５０の先端側から座金付きナット５１が螺合され、ボルト孔１５９と三つ目の第１の挟持部材１２１−３のボルト孔１２９にボルト５０が挿通されてボルト５０の先端側から座金付きナット５１が螺合されることにより、第１の挟持部材１２１−１乃至１２１−３にロープ取り付け部材１５０が着脱自在に締結されている。
なお、ロープ取り付け部材１５０は第２の挟持部材４０−１乃至４０−３の上側延設部４２のボルト孔４８に締結することも可能である。
【００４４】
次に上記した実施例の作用を説明する。
例えば、作業者が丸ハゼ式折板屋根１０１の上や周辺でダブルロープアクセス技術により作業したい場合、図２０に示す如く、丸ハゼ式折板屋根１０１の任意の所望箇所に３つのロープ固定具１２０−１乃至１２０−３を用いてメインロープ６０の一端を固定し、他の３つのロープ固定具１２０−４乃至１２０−６を用いて補助ロープ６１の一端を固定しておき、作業者Ａが装着している安全帯（図示せず）をメインロープ６０と補助ロープ６１に連結するようにする。
【００４５】
丸ハゼ式折板屋根１０１に対するロープ固定具１２０−１の装着方法を説明すると、予め、ロープ取り付け部材１５０の底部１５２の前寄りのボルト孔１５７に一つ目の第１の挟持部材１２１−１の上側延設部１２３のボルト孔１２９を合わせ、ボルト５０を通して先端側から座金付きナット５１を螺合し、底部１５２の中央のボルト孔１５８に二つ目の第１の挟持部材１２１−２のボルト孔１２９を合わせ、ボルト５０を通して先端側から座金付きナット５１を螺合し、底部１５２の後ろ寄りのボルト孔１５９に三つ目の第１の挟持部材１２１−３のボルト孔１２９を合わせ、ボルト５０を通して先端側から座金付きナット５１を螺合し、ロープ取り付け部材１５０に三つの第１の挟持部材１２１−１乃至１２１−３を締結しておく。
【００４６】
そして、一つ目の第１の挟持部材１２１−１の膨出部１２４の中に丸ハゼ部１０３の重合部１０３ｂの左半分を嵌めながら下側延設部１２６の下面１２６ａを丸ハゼ式折板屋根１０１の左側頂面１０１ａに接するように置き、一つ目の第２の挟持部材４０−１を、膨出部４３の中に丸ハゼ部１０３の重合部３ｂの右半分を嵌めながら締結部４１の外側壁面４１ａを第１の挟持部材１２１−１の締結部１２２の外側壁面１２２ａに合わせ、下側延設部４５の下面４５ａを丸ハゼ式折板屋根１０１の右側頂面１０１ｂに接するように置き、締結部４１のボルト孔４６、４７を第１の挟持部材１２１−１のボルト孔１２７、１２８に合わせ、ボルト孔４６と１２７、４７と１２８に各々ボルト５０を通し、先端側から座金付きナット５１を螺合する。
【００４７】
同様に、二つ目の第２の挟持部材４０−２を、膨出部４３の中に丸ハゼ部１０３の重合部１０３ｂを半分嵌めながら締結部４１の外側壁面４１ａを二つ目の第１の挟持部材１２１−２の外側立ち上がり壁面１２２ａに合わせ、下側延設部４５の下面４５ａを丸ハゼ式折板屋根１０１の右側頂面１０１ｂに接するように置き、締結部４１のボルト孔４６、４７を第１の挟持部材１２１−２のボルト孔１２７、１２８に合わせ、ボルト孔４６と１２７、４７と１２８に各々ボルト５０を通し、先端側から座金付きナット６１を螺合する。
【００４８】
更に、三つ目の第２の挟持部材４０−３を、膨出部４３の中に丸ハゼ部１０３の重合部１０３ｂを嵌めながら締結部４１の外側壁面４１ａを三つ目の第１の挟持部材１２１−３の外側立ち上がり壁面１２２ａに合わせ、下側延設部４５の下面４５ａを丸ハゼ式折板屋根１０１の右側頂面１０１ｂに接するように置き、締結部４１のボルト孔４６、４７を第１の挟持部材１２１−３のボルト孔１２７、１２８に合わせ、ボルト孔４６と１２７、４７と１２８に各々ボルト５０を通し、先端側から座金付きナット５１を螺合する。
【００４９】
各座金付きナット５１の螺合を進めて締め付けていくと、一組目の第１の挟持部材１２１−１の挟持部１２５の頂線Ｐ’と第２の挟持部材４０−１の挟持部４４の頂線Ｐの間隔が狭まり、丸ハゼ部１０３の首部１０３ｃが左右両側から押圧されて挟持される。同様に、二組目の第１の挟持部材１２１−２の挟持部１２５の頂線Ｐ’と第の挟持部材４０−２の挟持部４４の頂線Ｐの間隔が狭まり、丸ハゼ部１０３の首部１０３ｃが左右両側から押圧されて挟持され、三組目の第１の挟持部材１２１−３の挟持部１２５の頂線Ｐ’と第２の挟持部材４０−３の挟持部４４の頂線Ｐの間隔が狭まり、丸ハゼ部１０３の首部１０３ｃが左右両側から押圧されて挟持される。
【００５０】
これにより、ロープ固定金具１２０が強固に丸ハゼ式折板屋根１０１に装着される。この際、丸ハゼ部１０３の重合部１０３ｂは第１、第２の挟持部材１２１−ｉと４０−ｉの膨出部１２４と４３の内部空間Ｓ１、Ｓ２の中に収容された状態となる（ｉ＝１、２、３）。また、第１の挟持部材１２１−１乃至１２１−３と第２の挟持部材４０−１乃至４０−３の下端部の下側延設部１２７と４６は、丸ハゼ式折板屋根１０１の頂面１０１ａと１０１ｂに当接した状態となる。
このようにしてロープ固定具１２０−１を丸ハゼ式折板屋根１０１に装着することができる。他のロープ固定具１２０−２乃至１２０−６も全く同様にして装着することができる。
なお、ロープ取り付け部材１５０は、第１の挟持部材１２１−１乃至１２１−３の側に締結する代わりに、第２の挟持部材４０−１乃至４０−３の上側延設部４２のボルト孔４８に締結するようにしても良い。
【００５１】
メイン側の各ロープ固定具１２０−１乃至１２０−３のロープ取り付け部材１５０の３つのロープ取り付け孔１５３乃至１５５の内の１つに、個別にカラビナ個別にカラビナ６２乃至６４を装着し、両端にフック（図示せず）が装着された３本の子綱ロープ６５乃至６７の一端側の３つのフックを各カラビナ６２乃至６４に掛着し、他端側の３つのフックを１つのカラビナ６８に掛着し、このカラビナ６８にメインロープ６０の一端側のフック（図示せず）を掛着する。
また、補助側の各ロープ固定具１２０−４乃至１２０−６のロープ取り付け部材１５０の３つのロープ取り付け孔１５３乃至１５５の内の１つに、個別にカラビナ６９乃至７１を装着し、両端にフック（図示せず）が装着された３本の子綱ロープ７２乃至７４の一端側の３つのフックを各カラビナ６９乃至７１に掛着し、他端側の３つのフックを１つのカラビナ７５に掛着し、このカラビナ７５に補助ロープ６１の一端側のフック（図示せず）を掛着する。
【００５２】
このようにして、メインロープ６０、補助ロープ６１の一端側を丸ハゼ式折板屋根１０１の上に固定した状態で、安全帯（図示せず）と連結したメイン側の安全ロープ７６の先端に装着された昇降器具（アッセンダー、ディッセンダーなど）７７をメインロープ６０の側に連結し、安全帯と連結した補助側の安全ロープ７８の先端に装着された墜落防止器具（アサップ）７９を補助ロープ６１の側に連結すれば良い。
【００５３】
通常時、作業者Ａの体重を支えるための荷重は安全ロープ７６、昇降器具７７、メインロープ６０、子綱ロープ６５乃至６７を介して３つのロープ固定具１２０−１乃至１２０−３により支持される。作業者Ａが丸ハゼ式折板屋根１０１の上で足を滑らせたり、転倒・落下しかけた場合、墜落防止器具７９が補助ロープ６１に食い込み、安全ロープ７８、墜落防止器具７９、補助ロープ６１、子綱ロープ６９乃至７１を介して３つのロープ固定具１２０−４乃至１２０−６に大きな衝撃荷重が掛かる。
けれども、各ロープ固定具１２０−１乃至１２０−６は、第１、第２の挟持部材１２１−１と４０−１、１２１−２と４０−２、１２１−３と４０−３が丸ハゼ部１０３の首部１０３ｃを左右から押圧しながら挟持することで、３つの第１の挟持部材１２１−１乃至１２１−３と首部１０３ｃの間、３つの第２の挟持部材４０−１乃至４０−３と首部１０３ｃの間に大きな摩擦抵抗が生じていること、及び、ロープ取り付け孔１５３乃至１５５と挟持箇所の間の距離が短く、ロープ固定具１２０−１乃至１２０−６に大きなモーメントも掛からないことから、メインロープ６０の側からの通常の引っ張り荷重や、補助ロープ６１側からの衝撃引っ張り荷重で外れることはなく、作業者Ａの安全が確保される。
【００５４】
なお、作業範囲が丸ハゼ式折板屋根１０１の上の狭い範囲の場合などでは、安全帯から延びた一本のランヤードロープのフックを１つのロープ固定具（例えば１２０−１）の１つのロープ取り付け孔（例えば１５３）に掛着することで、安全を確保することもできる。或いは、丸ハゼ式折板屋根１０１の適当な場所に間隔をおいて複数のロープ固定具を装着し、一本の親綱を各ロープ固定具に固定し、安全帯から延びた一本のランヤードロープのフックを親綱に掛着することで、安全を確保することもできる。
【００５５】
作業場所を移動するなどのためロープ固定具１２０−１等を別の場所に移動したい場合、第１の挟持部材１２１−１乃至１２１−３と第２の挟持部材１４０−１乃至１４０−３を締結している計６つの座金付きナット５１を緩め、ボルト５０を外して第１の挟持部材１２１−１乃至１２１−３から三つの第２の挟持部材４０−１乃至４０−３を分離することで簡単に丸ハゼ式折板屋根１０１から取り外すことができ、あとは前述と同様にして所望箇所に装着すれば良い。各ロープ固定具１２０−１乃至１２０−６は小型でロープ取り付け部材１５０がアルミ製のプレート材からなることから重量も比較的軽量であり、丸ハゼ式折板屋根１０１の上への運搬や設置、移設の作業負担は小さい。
【００５６】
この第２実施例によれば、ロープ取り付け部材１５０の底部１５２の前後方向の前寄り、中央、後ろ寄りに三つの第１の挟持部材１２１−１乃至１２１−３の上側延設部１２３を締結し、第１の挟持部材１２１−１乃至１２１−３の各膨出部１２４を丸ハゼ式折板屋根１０１の丸ハゼ部１０３の重合部１０３ｃの左半分に嵌めながら、下側延設部１２６の下面１２６ａを丸ハゼ式折板屋根１０１の左側頂面１０１ａに接するように置き、３つの第２の挟持部材４０−１乃至４０−３を、各膨出部４３を重合部１０３ｃの右半分に嵌めながら締結部４１の外側壁面４１ａを第１の挟持部材１２１−１乃至１２１−３の締結部１２２の外側壁面１２２ａに合わせ、下側延設部４５の下面４５ａを丸ハゼ式折板屋根１０１の右側頂面１０１ｂに接するように置き、第２の挟持部材４０−１乃至４０−３を各々ボルト５０とナット５１で第１の挟持部材１２１−１乃至１２１−３に締結すると、挟持部１２５と挟持部４４の間に丸ハゼ部１０３の首部１０３ｃが左右両側から押圧されて挟持される。これにより、ロープ固定金具１２０が強固に丸ハゼ式折板屋根１０１に装着される。ロープ固定具１２０は左右両側から丸ハゼ部１０３の首部１０３ｃを挟持する３つの第１の挟持部材１２１−１乃至１２１−３（または３つの第２の挟持部材４０−１乃至４０−３）に直接、ロープ取り付け部材１５０を締結するようにしたので、器具の小型化が容易で、屋根上への運搬・設置・移設が容易となる。また、丸ハゼ部１０３に対し、複数箇所で挟着できるので、装着強度を高くすることができる。
【００５７】
また、３つの第１の挟持部材１２１−１乃至１２１−３の各上端部が第２の挟持部材４０−１乃至４０−３から離れる方向にＬ字状に曲げられた上側延設部１２３となっており、該上側延設部１２３に対応してロープ取り付け部材１５０の下端部がＬ字状に曲げられて、ボルト５０、座金付きナット５１により締結されているので、ロープ固定具１２０の強度が大きくなる。また、第１、第２の挟持部材１２１−１乃至１２１−３、４０−１乃至４０−３の下端部である下側延設部１２６、４５が丸ハゼ式折板屋根１０１の頂面１０１ａ、１０１ｂに当接することで、大きな接触摩擦が得られ、装着強度がより大きくなる。また、第２の挟持部材４０−１乃至４０−３の上端部である上側延設部４２も第１の挟持部材１２１−１乃至１２１−３から離れる方向にＬ字状に曲げられているので、部材強度がより大きくなる。また、ロープ取り付け部材１５０がアルミ製のプレート材からなるので、器具の軽量化が図られる。
【００５８】
また、ロープ取り付け部材１５０は長さに比して高さが低く形成されており、メインロープ６０、補助ロープ６１などのロープが固定されるロープ取り付け孔１５４乃至１５６が丸ハゼ部１０３に近い位置にあり、第１、第２の挟持部材１２１−１乃至１２１−３、４０−１乃至４０−３が挟持している丸ハゼ部１０３の首部１０３ｃまでの距離が短いので、ロープから引っ張り荷重が掛かったたときにロープ固定部１２０に働く曲げモーメントが大きくならず、丸ハゼ部１０３から外れ難い。
【００５９】
なお、上記した第２実施例では、第１、第２の挟持部材を３組備える場合を例示したが、本発明は何らこれに限定されず、２組または４組以上備えても良い。  また、ロープ取り付け部材は複数の第１の挟持部材または複数の第２の挟持部材の内の一方の上側延設部に着脱自在に装着可能としたが、ロープ取り付け部材の底部の左右方向の幅を２倍に延ばすとともに、複数の第１の挟持部材の上側延設部のボルト孔と複数の第２の挟持部材の上側延設部のボルト孔に対応する２列のボルト孔を穿設しておき、多数組のボルト及び座金付きナットにより、ロープ取り付け部材の底部を複数の第１の挟持部材と複数の第２の挟持部材の両方の上側延設部に着脱自在に締結可能としても良い。
【産業上の利用可能性】
【００６０】
本発明は、角ハゼ式や丸ハゼ式の折板屋根の周辺で作業する場合の安全ロープ等のロープ固定金具に適用可能である。
【符号の説明】
【００６１】
１  角ハゼ式折板屋根
２  角ハゼ折板
３  角ハゼ部
３ｃ  首部
２０  折板屋根用ロープ固定具
２１  第１の挟持部材
２２  立ち上がり部
２３  下側延設部
２４乃至２６  ロープ取り付け孔
４０−１乃至４０−３  第２の挟持部材
４２  上側延設部
４３  膨出部
４４  挟持部
４５  下側延設部
５０  ボルト
５１  座金付きナット
【図１】
2019136324.tif 000003
【図２】
2019136324.tif 000004
【図３】
2019136324.tif 000005
【図４】
2019136324.tif 000006
【図５】
2019136324.tif 000007
【図６】
2019136324.tif 000008
【図７】
2019136324.tif 000009
【図８】
2019136324.tif 000010
【図９】
2019136324.tif 000011
【図１０】
2019136324.tif 000012
【図１１】
2019136324.tif 000013
【図１２】
2019136324.tif 000014
【図１３】
2019136324.tif 000015
【図１４】
2019136324.tif 000016
【図１５】
2019136324.tif 000017
【図１６】
2019136324.tif 000018
【図１７】
2019136324.tif 000019
【図１８】
2019136324.tif 000020
【図１９】
2019136324.tif 000021
【図２０】
2019136324.tif 000022
【図２１】
2019136324.tif 000023